(57)【要約】【課題】調整後の位置ズレを抑制して光学素子を固定する機構を備えたプロジェクターを提供する。【解決手段】プロジェクターは、光源と、光源から射出された光の光軸５Ｇ上に配置され、光源から射出された光を画像情報に応じて変調する光変調装置と、光軸５Ｇ上に配置され、入射する光を光学的に変換する入射側偏光板５１と、入射側偏光板５１が配置される光学部品用筐体７と、入射側偏光板５１を保持し、光学部品用筐体７に対し、光軸５Ｇを中心に回動可能な保持部材８と、光学部品用筐体７に固定されて保持部材８を付勢し、光学部品用筐体７とで保持部材８を回動可能に挟持する押え部材９と、を備える。【選択図】図３
2015152843.tif 000002
【特許請求の範囲】
【請求項１】
光源と、
前記光源から射出された光の光軸上に配置され、前記光源から射出された光を画像情報に応じて変調する光変調装置と、
前記光軸上に配置され、入射する光を光学的に変換する光学素子と、
前記光学素子が配置される光学部品用筐体と、
前記光学素子を保持し、前記光学部品用筐体に対し、前記光軸または前記光軸に平行な軸を中心に回動可能な保持部材と、
前記光学部品用筐体に固定されて前記保持部材を付勢し、前記光学部品用筐体とで前記保持部材を回動可能に挟持する押え部材と、
を備えることを特徴とするプロジェクター。
【請求項２】
請求項１に記載のプロジェクターであって、
前記保持部材は、前記光学素子を保持する保持本体部、および前記保持本体部から屈曲する屈曲部を有し、
前記屈曲部は、前記光学部品用筐体に摺接する摺接部を有し、
前記光学部品用筐体は、前記保持本体部の側端部が挿入される溝、および前記摺接部が摺接し、前記保持部材の回動を案内する摺接面を有し、
前記押え部材は、前記光学部品用筐体に固定される固定部、および前記固定部に接続され、前記摺接部を付勢する付勢部を有することを特徴とするプロジェクター。
【請求項３】
請求項２に記載のプロジェクターであって、
前記付勢部は、前記固定部の両側に設けられていることを特徴とするプロジェクター。
【請求項４】
請求項２または請求項３に記載のプロジェクターであって、
前記光学部品用筐体は、前記屈曲部に係合し、前記屈曲部の前記保持本体部側への移動を規制する係合部を有していることを特徴とするプロジェクター。
【請求項５】
請求項１〜請求項４のいずれか一項に記載のプロジェクターであって、
前記保持部材と前記押え部材とは、異なる部材により加工されていることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光をスクリーン等の投写面に投写するプロジェクターが知られている。このプロジェクターには、液晶パネル等の光変調装置や、光変調装置の前後に配置される入射側偏光板や射出側偏光板等の光学素子が備えられている。
ところで、近年、投写される画像の高コントラスト化が望まれており、光変調装置に対して光学素子が正しい位置に配置されていないと、所望のコントラストを得ることができないため、光学素子の位置を調整できるように構成された技術が提案されている（例えば、特許文献１参照）。
【０００３】
特許文献１に記載のプロジェクターは、光学部品用筐体、光変調装置の光入射側に配置される視野角補正板、および視野角補正板の位置調整を行う位置調整機構を備える。位置調整機構は、視野角補正板を保持する補正板保持枠、および光学部品用筐体の上面に位置し、補正板保持枠を姿勢調整可能に支持する保持枠姿勢調整部を備える。
保持枠姿勢調整部は、照明光軸を中心として、上方に凸となる平面視円弧状の保持枠支持面を有し、この保持枠支持面には固定用孔が形成されている。
補正板保持枠は、視野角補正板を保持する板状部材、およびこの板状部材の端面上方側から略法線方向に突出する保持枠突出部を有し、保持枠突出部には、保持枠支持面に摺動する摺動面、およびトラック孔が設けられている。
そして、視野角補正板を保持する補正板保持枠は、トラック孔を介して保持枠姿勢調整部の固定用孔にネジが緩められた状態で螺合される。そして、補正板保持枠は、位置が調整された後、ネジが締められて保持枠姿勢調整部に固定される。
【先行技術文献】
【特許文献】
【０００４】
【特許文献１】特開２００４−２４６０５９号公報
【発明の概要】
【発明が解決しようとする課題】
【０００５】
しかしながら、特許文献１に記載の技術は、視野角補正板を保持する補正板保持枠の位置が調整された後にネジが締められて固定される構成のため、ネジ締めによる負荷が補正板保持枠に加わり、調整された補正板保持枠、つまり、視野角補正板の位置がずれるという課題がある。すなわち、特許文献１に記載の技術では、視野角補正板の特性を充分発揮させることが難しく、所望のコントラスト等を得ることができないという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光の光軸上に配置され、前記光源から射出された光を画像情報に応じて変調する光変調装置と、前記光軸上に配置され、入射する光を光学的に変換する光学素子と、前記光学素子が配置される光学部品用筐体と、前記光学素子を保持し、前記光学部品用筐体に対し、前記光軸または前記光軸に平行な軸を中心に回動可能な保持部材と、前記光学部品用筐体に固定されて前記保持部材を付勢し、前記光学部品用筐体とで前記保持部材を回動可能に挟持する押え部材と、を備えることを特徴とする。
【０００８】
この構成によれば、保持部材を光学部品用筐体に載置した状態で、押え部材を光学部品用筐体に固定することで、保持部材は、光学部品用筐体と押え部材とに挟持され、光軸または光軸に平行な軸を中心に回動可能に配置される。すなわち、保持部材が光学部品用筐体に取り付けられた後に、光学素子を保持する保持部材の位置調整が可能となる。これによって、保持部材には、位置調整後に、光学部品用筐体に固定されるための負荷が加わらないので、保持部材、つまり光学素子は、調整された位置が維持される。よって、プロジェクターは、光学素子の特性を有効に利用してコントラストの向上や色ムラの抑制等を行い、画質の良好な画像の投写が可能となる。
【０００９】
［適用例２］上記適用例に係るプロジェクターにおいて、前記保持部材は、前記光学素子を保持する保持本体部、および前記保持本体部から屈曲する屈曲部を有し、前記屈曲部は、前記光学部品用筐体に摺接する摺接部を有し、前記光学部品用筐体は、前記保持本体部の側端部が挿入される溝、および前記摺接部が摺接し、前記保持部材の回動を案内する摺接面を有し、前記押え部材は、前記光学部品用筐体に固定される固定部、および前記固定部に接続され、前記摺接部を付勢する付勢部を有することが好ましい。
【００１０】
この構成によれば、保持部材は、保持本体部の側端部が光学部品用筐体の溝に挿入されるので、光軸に対する倒れが抑えられる。また、保持部材は、摺接部が押え部材の付勢部に付勢されるので、光学部品用筐体に対するガタツキが抑制されて回動する。これによって、光学素子の光軸に対する倒れを抑制しつつ、保持部材を滑らかに回動させ、保持部材に保持されている光学素子の位置を精度よく調整することが可能となる。
【００１１】
［適用例３］上記適用例に係るプロジェクターにおいて、前記付勢部は、前記固定部の両側に設けられていることが好ましい。
【００１２】
この構成によれば、固定部の両側で保持部材の摺接部をバランスよく付勢できるので、保持部材の一方側への回動および他方側への回動を安定して行うことが可能となる。よって、光学素子の位置をさらに精度よく調整することが可能となる。
【００１３】
［適用例４］上記適用例に係るプロジェクターにおいて、前記光学部品用筐体は、前記屈曲部に係合し、前記屈曲部の前記保持本体部側への移動を規制する係合部を有していることが好ましい。
【００１４】
この構成によれば、光学部品用筐体には係合部が設けられているので、光学素子の光軸に対する倒れをさらに抑制することが可能となる。
【００１５】
［適用例５］上記適用例に係るプロジェクターにおいて、前記保持部材と前記押え部材とは、異なる部材により加工されていることが好ましい。
【００１６】
この構成によれば、保持部材および押え部材は、例えば、同じ材料で板厚の異なる板金で形成されたり、異なる材料で形成されたりする。これによって、保持部材、押え部材それぞれに対応して所望の剛性やバネ性等の特性を有する部材を選択することが可能となる。よって、軽量化やサイズの小型化等を図って保持部材および押え部材を形成することが可能となる。
【図面の簡単な説明】
【００１７】
【図１】本実施形態のプロジェクターの概略構成を示す模式図。
【図２】本実施形態の光学ユニットの一部を示す斜視図。
【図３】本実施形態の光学ユニットの一部を示す斜視図であり、Ｇ光用の調整機構について分解した状態を示す図。
【図４】本実施形態の光学部品用筐体に載置された保持部材を示す図。
【図５】本実施形態の押え部材の斜視図。
【図６】本実施形態の光学ユニットにおける押え部材近傍の断面図。
【発明を実施するための形態】
【００１８】
以下、本実施形態に係るプロジェクターについて、図面を参照して説明する。
本実施形態のプロジェクターは、光源から射出された光を画像情報に応じて変調してスクリーン等の投写面に拡大投写する。
図１は、本実施形態のプロジェクター１の概略構成を示す模式図である。
プロジェクター１は、図１に示すように、外装を構成する外装筐体２、制御部（図示省略）、および光源３１１を有する光学ユニット３を備えている。なお、図示は省略するが、外装筐体２の内部には、さらに、光源３１１や制御部に電力を供給する電源装置、光学ユニット３等を冷却する冷却装置等が配置されている。
【００１９】
外装筐体２は、詳細な説明は省略するが、複数の部材で構成され、外気を取り込む吸気口、および外装筐体２内部の温まった空気を外部に排気する排気口等が設けられている。
【００２０】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２１】
〔光学ユニットの構成〕
光学ユニット３は、制御部による制御の下、光源３１１から射出された光を光学的に処理して投写する。
光学ユニット３は、図１に示すように、光源３１１を有する光源装置３１、インテグレーター照明光学系３２、色分離光学系３３、リレー光学系３４、光学装置５、投写レンズ３６、調整機構６（図２参照）、およびこれらの部材を光源３１１から射出された光の光軸上の所定位置に配置する光学部品用筐体７を備えている。
【００２２】
光学ユニット３は、図１に示すように、平面視略Ｌ字状に形成され、一方の端部に光源装置３１が着脱可能に配置され、他方の端部に投写レンズ３６が配置される。なお、以下では、説明の便宜上、投写レンズ３６から光が射出される方向を＋Ｙ方向（前側）、プロジェクター１が机上等に据え置かれた据置姿勢における上方を＋Ｚ方向（上側）、投写面側から見て右方を＋Ｘ方向（右側）として記載する。
【００２３】
光源装置３１は、超高圧水銀ランプやメタルハライドランプ等からなる放電型の光源３１１およびリフレクター３１２等を備え、光源３１１から射出された光をリフレクター３１２にて反射し、インテグレーター照明光学系３２に向けて射出する。
【００２４】
インテグレーター照明光学系３２は、レンズアレイ３２１，３２２、偏光変換素子３２３、および重畳レンズ３２４を備える。レンズアレイ３２１，３２２、および重畳レンズ３２４は、光源装置３１から射出された光を後述する液晶パネル５２の表面で略均一化させる。偏光変換素子３２３は、レンズアレイ３２２から射出されたランダム光を液晶パネル５２で利用可能な第１の直線偏光光に揃える。
【００２５】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する。
【００２６】
リレー光学系３４は、入射側レンズ３４１、リレーレンズ３４３、および反射ミラー３４２，３４４を備え、色分離光学系３３で分離されたＲ光をＲ光用の液晶パネル５２まで導く機能を有する。なお、光学ユニット３は、リレー光学系３４がＲ光を導く構成としているが、これに限らず、例えば、Ｂ光を導く構成としてもよい。
【００２７】
光学装置５は、Ｒ光、Ｇ光、Ｂ光の各色光用に設けられた光変調装置としての液晶パネル５２（Ｒ光用の液晶パネルを５２Ｒ、Ｇ光用の液晶パネルを５２Ｇ、Ｂ光用の液晶パネルを５２Ｂとする）、各液晶パネル５２の光入射側に配置された入射側偏光板５１、光射出側に配置された射出側偏光板５４、および色合成光変調装置としてクロスダイクロイックプリズム５５を備えている。液晶パネル５２Ｒに入射するＲ光の光軸を５Ｒ、液晶パネル５２Ｇに入射するＧ光の光軸を５Ｇ、液晶パネル５２Ｂに入射するＢ光の光軸を５Ｂとする。
【００２８】
入射側偏光板５１は、色分離光学系３３で分離された色光のうち、偏光変換素子３２３で揃えられた偏光光を透過し、その偏光光と異なる偏光光を吸収して液晶パネル５２に射出する。入射側偏光板５１は、入射する光を光学的に変換し、調整機構６の後述する保持部材８に保持される光学素子に相当する。入射側偏光板５１は、ガラス板等の基材に貼り付けられ、調整機構６によって回動可能に光学部品用筐体７に配置される。
【００２９】
液晶パネル５２は、一対の透明なガラス基板に電気光学物質である液晶が密閉封入された構成を有し、図示しない微小画素がマトリックス状に形成された矩形状の画素領域が形成されている。各液晶パネル５２は、図示しない保持部材に保持され、クロスダイクロイックプリズム５５の光入射側端面に対向して配置される。そして、液晶パネル５２は、入射側偏光板５１から射出された色光を画像情報に応じて変調し、射出側偏光板５４に射出する。
【００３０】
射出側偏光板５４は、入射側偏光板５１と略同様の機能を有し、ガラス板等の基材に貼り付けられ、クロスダイクロイックプリズム５５の光入射側端面に接着固定される。射出側偏光板５４は、液晶パネル５２から射出された光のうち一定方向の偏光光を透過し、その偏光光と異なる偏光光を吸収する。そして、各射出側偏光板５４からは、色光毎の画像光が射出される。
【００３１】
クロスダイクロイックプリズム５５は、４つの直角プリズムを貼り合わせた平面視略正方形状をなし、３つの光入射側端面、１つの光射出側端面を有し、直角プリズム同士を貼り合わせた界面には、２つの誘電体多層膜が形成されている。クロスダイクロイックプリズム５５は、各射出側偏光板５４から射出された各色光の画像光を合成する。
【００３２】
投写レンズ３６は、複数のレンズ（図示省略）を有して構成され、クロスダイクロイックプリズム５５にて合成された画像光を投写面に拡大投写し、投写面にはカラーの画像が投写される。
【００３３】
図２は、光学ユニット３の一部を示す斜視図である。
光学部品用筐体７は、図２に示すように、上方に開口部を有し、前述した光学部品を収納する下筐体７Ｄ、および下筐体７Ｄの開口部を閉塞するように形成された上筐体７Ｕを備えている。
【００３４】
下筐体７Ｄは、外装筐体２の底面に沿って配置される底部と、底部の端縁から起立する側壁部とを有し、断面視略Ｕ字状に形成されている。下筐体７Ｄは、側壁部の内面側に複数の溝が設けられており、レンズアレイ３２１等の各光学部品は、側端部がこの溝に挿入されて配置される。
また、光学部品用筐体７には、クロスダイクロイックプリズム５５、射出側偏光板５４および液晶パネル５２が配置される凹部７０が設けられている。
【００３５】
調整機構６は、図２に示すように、各色光用に設けられており、各入射側偏光板５１をそれぞれ保持する保持部材８を備える。そして、各保持部材８は、光軸５Ｒ，５Ｇ，５Ｂをそれぞれ中心として回動可能に光学部品用筐体７に取り付けられる。すなわち、各調整機構６は、各色光用の入射側偏光板５１の透過軸の傾きを調整する機能を有している。
【００３６】
〔調整機構の構成〕
ここで、調整機構６について詳細に説明する。
各色光用の調整機構６は、共通に構成されており、ここではＧ光用の調整機構６に注目して説明する。
図３は、光学ユニット３の一部を示す斜視図であり、Ｇ光用の調整機構６について分解した状態を示す図である。
【００３７】
図３に示すように、調整機構６は、入射側偏光板５１を保持する保持部材８、押え部材９、およびネジ１０を備えている。
保持部材８は、板金製で、入射側偏光板５１を保持する保持本体部８１、および保持本体部８１から屈曲する屈曲部８２を有している。
保持本体部８１は、平面視矩形状に形成され、中央には、光が通過する開口部（図示省略）が形成され、入射側偏光板５１は、この開口部を覆うように、保持本体部８１に接着固定される。
【００３８】
保持本体部８１の左右（±Ｘ方向）の側端部には、それぞれ突出部８１１、折り曲げ部８１２，８１３が形成されている。
一対の突出部８１１は、光学部品用筐体７に対する左右の位置決めをするための部位であり、上下方向における保持本体部８１の略中央部に設けられ、端面が円弧状に突出するように形成されている。
一対の折り曲げ部８１２は、突出部８１１の上方に設けられ、入射側偏光板５１の左右の位置決めを行うように前方に屈曲されている。
一対の折り曲げ部８１３は、突出部８１１の下方に設けられ、互いの距離が一対の折り曲げ部８１２間の距離より大きく設定されている。一対の折り曲げ部８１３は、光学部品用筐体７の後述する溝７１３に挿入される。
また、保持本体部８１には、入射側偏光板５１の上下の位置決めを行うための複数の折り曲げ部８１４が形成されている。
【００３９】
屈曲部８２は、図３に示すように、保持本体部８１の上端から後方に屈曲されており、一対の腕部８２１、および摺接部８２２を有している。
一対の腕部８２１は、折り曲げ部８１２近傍の保持本体部８１の上端から延出し、摺接部８２２は、一対の腕部８２１先端に架橋されるように形成されている。すなわち、保持本体部８１と摺接部８２２との間には開口部８２０が設けられている。
【００４０】
摺接部８２２の下面は、光学部品用筐体７の後述する摺接面７２１ａに倣うように凹面となるように形成されており、保持部材８が回動される際に、摺接面７２１ａに摺接する。
また、摺接部８２２には、略中央に開口部８２２１が形成され、左右端部に把持部８２２２が設けられている。
開口部８２２１は、前後方向の長さより左右方向の長さが長い平面視矩形状に形成されている。
把持部８２２２は、摺接部８２２から上方に屈曲されており、保持部材８が回動される際に、入射側偏光板５１の位置を調整する作業者に把持される。
保持部材８は、光学部品用筐体７に載置された後、押え部材９が光学部品用筐体７に固定されることによって、回動可能に配置される。
【００４１】
次に、光学部品用筐体７のうち、調整機構６が取り付けられる部位について説明する。
光学部品用筐体７は、図３に示すように、保持本体部８１が配置される側壁部７１、および屈曲部８２が配置される膨出部７２を有している。
【００４２】
図４は、光学部品用筐体７に載置されたＧ光用の保持部材８を示す図である。
図３に示すように、側壁部７１には、色分離光学系３３で分離されたＧ光が通過する開口部７１１が形成され、開口部７１１の左右両側には、図４に示すように、保持本体部８１の左右方向の位置決めを行うための壁部７１２が設けられている。左右の壁部７１２は、図４に示すように、保持部材８の一対の突出部８１１の端面と対向する平面が形成されている。
また、壁部７１２の下方には、保持本体部８１の一対の折り曲げ部８１３が挿入される溝７１３が設けられている（図３、図４では、一方の壁部７１２、溝７１３を示す）。
【００４３】
膨出部７２は、図３に示すように、開口部７１１近傍の上筐体７Ｕの上面に形成されており、案内部７２１、案内部７２１の前方に形成された係合部７２２、および案内部７２１の後方に形成された規制部７２３を有している。
案内部７２１には、保持部材８の摺接部８２２が摺接する摺接面７２１ａが形成されている。摺接面７２１ａは、断面形状が光軸５Ｇを中心とする円弧状に形成され、保持部材８の回動を案内する。
【００４４】
また、案内部７２１には、図３、図４に示すように、ネジ穴７２１ｂ、突起部７２１ｃ、および凹部７２１ｄが形成されている。
ネジ穴７２１ｂは、摺接面７２１ａの略中央に形成され、突起部７２１ｃは、摺接面７２１ａから突出し、ネジ穴７２１ｂの左右両側に形成されている。
凹部７２１ｄは、摺接面７２１ａから窪んで形成され、ネジ穴７２１ｂとは反対側の一方の突起部７２１ｃの近傍に設けられている。
前述した保持部材８の開口部８２２１は、図４に示すように、ネジ穴７２１ｂ、突起部７２１ｃ、および凹部７２１ｄの一部が露出する大きさに形成されている。
【００４５】
係合部７２２は、図４に示すように、板状の形状を有して形成され、保持部材８の開口部８２０に挿入され、後方側の端面と開口部８２０の内面とが係合し、屈曲部８２の保持本体部８１側への移動を規制するように形成されている。すなわち、係合部７２２と開口部８２０の内面とが係合することで、光軸５Ｇに対する入射側偏光板５１の傾きを抑制するように形成されている。また、係合部７２２は、左右方向の端面が開口部８２０の端面から離間し、保持部材８の回動範囲を規制する機能も有している。
【００４６】
規制部７２３は、図４に示すように、屈曲部８２の後方に突出するように形成され、屈曲部８２の後方への移動を規制する。
保持部材８は、光学部品用筐体７の上方から、折り曲げ部８１３が溝７１３に挿入され、開口部８２０に係合部７２２が挿入されて、光学部品用筐体７に載置される。
【００４７】
次に、押え部材９について詳細に説明する。
押え部材９は、ネジ１０によって光学部品用筐体７に固定されて保持部材８を付勢し、光学部品用筐体７とで保持部材８を回動可能に挟持する。
図５は、押え部材９の斜視図である。
押え部材９は、保持部材８の板厚より薄い板厚の板金で形成されており、図５に示すように、光学部品用筐体７に固定される固定部９１、固定部９１の両側に接続された付勢部９２、および固定部９１の前側に接続された係止部９３を有している。
【００４８】
固定部９１は、光学部品用筐体７の一対の突起部７２１ｃ（図４参照）に載置される大きさに形成され、中央には、ネジ１０（図３参照）が挿通される挿通孔９１ｈが形成されている。
付勢部９２は、固定部９１の左右両側に形成されており、それぞれが固定部９１の端部から延出する一対の腕部９２１、および一対の腕部９２１の先端に架橋された押圧部９２２を有している。すなわち、固定部９１と一対の押圧部９２２との間には、それぞれ開口部９２３が設けられている。
【００４９】
腕部９２１は、固定部９１に沿って延出してクランク形状を成した後、斜め下方に屈曲されている。このような形状にすることにより、固定部９１と押圧部９２２との距離が短くても、ヘタリがなく、保持部材８を適正に付勢する付勢力を確保した腕部９２１を形成することができる。
押圧部９２２は、腕部９２１に沿って延出した後、上方に屈曲されており、下方に突出する部位が保持部材８の摺接部８２２に当接するように形成されている。
【００５０】
係止部９３は、光学部品用筐体７の係合部７２２（図４参照）に係止される部位である。係止部９３は、図５に示すように、固定部９１の前端から上方に屈曲された部位、およびこの部位に併設された立設部９３１を有し、上方に屈曲された部位と立設部９３１とで前後方向において係合部７２２を挟持するように形成されている。そして、立設部９３１の左右の端部には、立設部９３１から屈曲され、左右方向において係合部７２２を挟持するように形成された一対の折り曲げ部９３２が設けられている。
【００５１】
押え部材９は、保持部材８が載置された光学部品用筐体７（図４参照）にネジ固定される。具体的に、押え部材９は、図２に示すように、係止部９３が係合部７２２に係止され、挿通孔９１ｈ（図５参照）に挿通されたネジ１０がネジ穴７２１ｂ（図４参照）に挿入されて光学部品用筐体７に固定される。
【００５２】
図６は、光学ユニット３における押え部材９近傍の断面図である。
図６に示すように、光学部品用筐体７に固定された押え部材９は、ネジ１０の両側にそれぞれ位置する付勢部９２が保持部材８の摺接部８２２を付勢する。そして、保持部材８は、光学部品用筐体７と押え部材９（付勢部９２）とに挟持され、光軸５Ｇ（図２参照）を中心に回動可能となる。
【００５３】
以上、Ｇ光用の調整機構６に注目して説明したが、Ｒ光用、Ｂ光用の調整機構６も同様に構成され、Ｒ光用、Ｂ光用の入射側偏光板５１を保持する保持部材８は、光学部品用筐体７と押え部材９とに挟持され、光軸５Ｒ，５Ｂ（図２参照）を中心に回動可能となる。
そして、各色光用の入射側偏光板５１は、調整作業者が把持部８２２２を把持し、調整用の画像を観察しながらコントラストが最適となるように、保持部材８を回動させることによって、位置が調整される。
【００５４】
また、本実施形態においては、入射側偏光板５１の位置調整後に、押え部材９の開口部９２３および保持部材８の開口部８２２１から一部が露出する光学部品用筐体７の凹部７２１ｄ（図６参照）に接着剤が注入され、保持部材８は、ネジ固定に加え、接着剤によって光学部品用筐体７に固定される。なお、接着剤としては、速乾性の接着剤（例えば、瞬間接着剤等）での予備接着、および接着力が高い接着剤による本接着がなされる。
【００５５】
以上説明したように、本実施形態によれば、以下の効果を得ることができる。
（１）保持部材８を光学部品用筐体７に載置した状態で、押え部材９を光学部品用筐体７に固定することで、保持部材８は、光学部品用筐体７と押え部材９とに挟持され、光軸５Ｒ，５Ｇ，５Ｂを中心に回動可能に配置される。すなわち、保持部材８が光学部品用筐体７に取り付けられた後に、入射側偏光板５１を保持する保持部材８の位置調整が可能となる。これによって、保持部材８には、位置調整後に、光学部品用筐体７に固定されるための負荷が加わらないので、保持部材８、つまり入射側偏光板５１は、調整された位置が維持される。よって、プロジェクター１は、入射側偏光板５１の特性を有効に利用して高コントラストな画像の投写が可能となる。
【００５６】
（２）保持部材８は、保持本体部８１の側端部（折り曲げ部８１３）が光学部品用筐体７の溝７１３に挿入されるので、光軸５Ｒ，５Ｇ，５Ｂに対する倒れが抑えられる。また、保持部材８は、摺接部８２２が押え部材９の付勢部９２に付勢されるので、光学部品用筐体７に対するガタツキが抑制されて回動する。これによって、入射側偏光板５１の光軸５Ｒ，５Ｇ，５Ｂに対する倒れを抑制しつつ、保持部材８を滑らかに回動させ、保持部材８に保持されている入射側偏光板５１の位置を精度よく調整することが可能となる。
【００５７】
（３）付勢部９２は、固定部９１の両側に設けられているので、固定部９１の両側で保持部材８の摺接部８２２をバランスよく付勢できる。これによって、保持部材８の一方側への回動および他方側への回動を安定して行うことが可能となる。よって、入射側偏光板５１の位置をさらに精度よく調整することが可能となる。また、保持部材８は、位置調整後においても、バランスよく付勢されるので、調整された位置が安定して維持される。
【００５８】
（４）光学部品用筐体７には、保持部材８の開口部８２０に係合する係合部７２２が設けられている。これによって、屈曲部８２の保持本体部８１側への移動が規制されるので、入射側偏光板５１の光軸５Ｒ，５Ｇ，５Ｂに対する倒れをさらに抑制することが可能となる。また、光学部品用筐体７の溝７１３を浅く形成できるので、この溝７１３を成形するための金型等の加工を容易なものとすることが可能となる。
【００５９】
（５）保持部材８と押え部材９とは、板厚の異なる板金で形成されている。これによって、保持部材８においては、押え部材９より剛性の高い部材を用い、押え部材９においては、付勢部９２が適切な付勢力を有するような部材を用いることができる。よって、軽量化やサイズの小型化等を図って保持部材８および押え部材９を形成することが可能となる。
【００６０】
（変形例）
なお、前記実施形態は、以下のように変更してもよい。
前記実施形態の保持部材８は、押え部材９に設けられた付勢部９２によって光学部品用筐体７側に付勢されるように構成されているが、付勢部を有する保持部材、およびこの付勢部に当接する部位を有する押え部材を備えた構成とし、この押え部材が光学部品用筐体７に固定されることで、この付勢部の反力で押え部材が保持部材を光学部品用筐体７側に付勢するように構成してもよい。
また、板状の部材で形成された付勢部に限らず、例えばコイルバネや伸縮する部材等で付勢部を構成してもよい。
【００６１】
前記実施形態では、保持部材８の位置調整後に保持部材８と光学部品用筐体７とが接着されるように構成されているが、接着剤を用いない構成としてもよい。
また、接着剤を用いる構成においては、保持部材８は、接着剤で調整された位置が維持されるので、押え部材９として、保持部材８の位置調整前に所定のバネ性を有する部材で形成すれば、板金に限らず他の部材（例えば、合成樹脂製等）で形成してもよい。
【００６２】
前記実施形態では、保持部材８が保持する光学素子として入射側偏光板５１を用いているが、他の光学部品を保持するように構成してもよい。例えば、光学ユニット３が、位相差板や光の位相のずれを補償する補償素子等を備える構成とし、これらの光学部品を保持部材８が保持する光学素子として構成してもよい。
【００６３】
前記実施形態では、ネジ１０を用いて押え部材９を光学部品用筐体７に固定するように構成されているが、光学部品用筐体７にピンを圧入する加工や、熱溶着加工等によって押え部材９を光学部品用筐体７に固定するように構成してもよい。
【００６４】
前記実施形態の保持部材８は、光軸５Ｒ，５Ｇ，５Ｂを中心に回動可能に構成されているが、光軸５Ｒ，５Ｇ，５Ｂに平行な軸を中心に回動可能となるように構成してもよい。
【００６５】
前記実施形態のプロジェクター１は、光変調装置として透過型の液晶パネル５２を用いているが、反射型の液晶パネルを利用したものであってもよい。
また、前記実施形態の光学ユニット３は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００６６】
光源装置３１は、放電型の光源３１１を用いたものに限らず、その他の方式の光源や発光ダイオード、レーザー等の固体光源で構成してもよい。
【符号の説明】
【００６７】
１…プロジェクター、２…外装筐体、３…光学ユニット、５Ｂ，５Ｇ，５Ｒ…光軸、６…調整機構、７…光学部品用筐体、８…保持部材、９…押え部材、１０…ネジ、３１…光源装置、５１…入射側偏光板（光学素子）、５２，５２Ｂ，５２Ｇ，５２Ｒ…液晶パネル（光変調装置）、５４…射出側偏光板、８１…保持本体部、８２…屈曲部、９１…固定部、９２…付勢部、９３…係止部、３１１…光源、７１３…溝、７２１…案内部、７２１ａ…摺接面、７２１ｂ…ネジ穴、７２１ｃ…突起部、７２１ｄ…凹部、７２２…係合部、８１３…折り曲げ部（側端部）、８２０…開口部、８２２…摺接部。
【図１】
2015152843.tif 000003
【図２】
2015152843.tif 000004
【図３】
2015152843.tif 000005
【図４】
2015152843.tif 000006
【図５】
2015152843.tif 000007
【図６】
2015152843.tif 000008